(57)【要約】【課題】  コネクタと導線の使用量を低減し、プリント基板が湾曲、変形することがなく、無駄な空間が発生しないバックライトモジュールとその組み立て方法を提供する。【解決手段】  複数のライトと、プリント基板と、複数のコンデンサと、高周波の電源の供給端とを含んでなり、複数のライトはそれぞれダブルエッジを具え、それぞれのエッジがライトの電極を含み、プリント基板が複数のライトの電極の一側面に設けられ、電気的に接続し、複数のコンデンサが複数のライトの電極の一側面に設けられ、一端がプリント基板と電気的に接続し、高周波の電源の供給端が複数のコンデンサと電気的に接続する電子式スタビライザであって、複数のライトに供給する駆動電圧を発生するために供し、少なくとも一以上のライトフレームが複数のライト、或いはプリント基板に固定するために供する。【選択図】  図4
2009037996.tif 000002
【特許請求の範囲】
【請求項１】
複数のライトと、プリント基板と、複数のコンデンサとを含んでなり、
該複数のライトが、それぞれライトがダブルエッジを具えてなり、それぞれのエッジがライトの電極を含んでなり、該電極は一端がプリント基板と電気的に接続し、他端が高周波電源の供給端に電気的に接続し、
該プリント基板が、複数のライトの電極の一側面に設けられ、それぞれの電極がプリント基板に電気的に接続し、プリント基板がコンデンサに電気的に接続し、
該複数のコンデンサが、複数のライトの電極の一側面で、プリント基板上に固定して設けられ、他端が高周波の電源の供給端に電気的に接続して複数のライトの駆動電圧を供給することを特徴とするバックライトモジュール。
【請求項２】
前記ライトがＵ字状か、或いは線状のライトであって、それぞれのライトの電極をプリント基板上に固定して設けることを特徴とする請求項１に記載のバックライトモジュール。
【請求項３】
前記バックライトモジュールがライトフレームを含んでなり、複数のライト及びプリント基板を固定するために供することを特徴とする請求項２に記載のバックライトモジュール。
【請求項４】
前記ライトフレームが、位置決め桿か、或いは補強桿とを含んでなり、プリント基板を支持、固定してプリント基板が高温で湾曲、変形することを防ぐことを特徴とする請求項３に記載のバックライトモジュール。
【請求項５】
前記プリント基板が直接、ライトフレームに設けるため、特別に空間を占めることがないことを特徴とする請求項３、或いは４に記載のバックライトモジュール。
【請求項６】
前記バックライトモジュールが、複数のライトの下方に設けられて、バックライトモジュールに固定するために供するベースを含んでなることを特徴とする請求項２に記載のバックライトモジュール。
【請求項７】
前記ベースが、複数のライトに対向する表面にいずれも光線を反射する材料を塗布することを特徴とする請求項６に記載のバックライトモジュール。
【請求項８】
前記バックライトモジュールが、複数のライトとベースとの間に設けられる反射板を含んでなることを特徴とする請求項６に記載のバックライトモジュール。
【請求項９】
前記バックライトモジュールが、受信信号を検知する検知素子を含んでなることを特徴とする請求項１に記載のバックライトモジュール。
【請求項１０】
前記バックライトモジュールが、それぞれのライトの電極を被覆する複数の絶縁カバー管を含んでなることを特徴とする請求項１に記載のブレーカー。
【請求項１１】
前記ライトの電極が、それぞれプリント基板上にはんだ接続で電気的に接続することを特徴とする請求項１に記載のバックライトモジュール。
【請求項１２】
前記バックライトモジュールが、それぞれライトの電極の両端に設けられる二つのプリント基板を具えてなることを特徴とする請求項１に記載のバックライトモジュール。
【請求項１３】
ａ）複数のライトとプリント基板とを電気的に接続し、
ｂ）複数のライトの電極の一端か、或いは両端をそれぞれコンデンサに直列に接続し、
ｃ）ライトフレームと組み合わせるとともに、プリント基板をライトフレームに設けるため特別な空間を占めることがなく、
ｄ）複数のライトの下方にベースを組み合わせてバックライトモジュールに固定するために供することを特徴とするバックライトモジュールの組み立て方法。
【発明の詳細な説明】
【技術分野】
【０００１】
この発明は、バックライトモジュールに関し、特に液晶モニタのバックライトモジュールとその組み立て方法に関する。
【背景技術】
【０００２】
液晶モニタは軽量、薄型、消費電力が少ないなど優れた点を具えているため、テレビ、ノートブック型パソコン、携帯電話、携帯情報端末など現代社会で使用されている情報設備に幅広く応用されている。
【０００３】
液晶モニタの本体は、発光する性質を具えていないため、バックライトモジュールを設けて、画面を見えるようにする機能を提供する必要がある。
【０００４】
図１は、従来のバックライトモジュールを示した斜視図である。図２は、図１に開示したＡの部分を拡大した局部拡大図である。図３は、従来のバックライトモジュールに使用する側面フレームでライトを固定した状態を底面から示した説明図である。
【０００５】
該バックライトモジュールは、複数のライト１０１と、複数の導線１０２と、複数のコネクタ（Ｃｏｎｎｅｃｔｏｒ）１０３と、プリント基板（Ｐｒｉｎｔｅｄ  Ｃｉｒｃｕｉｔ  Ｂｏａｒｄ、ＰＣＢ）１０４と、サイドフレーム（Ｓｉｄｅ  Ｆｒａｍｅ）１０７と、シリカゲル座１１０とを含んでなる。
【０００６】
ライトの高圧サイド１０５と、プリント基板１０４との間のコネクタ１０３と導線１０２の使用量は大量であるため、コストが高くなるとともに、使用する部材の件数が多くなるため、組み立てが複雑になり、作業時間が増加する。
【発明の開示】
【発明が解決しようとする課題】
【０００７】
この発明は、コネクタと導線の使用量を低減するバックライトモジュールを提供することを課題とする。
【０００８】
また、この発明は、プリント基板が高温で湾曲、変形することがなく、組み立てに無駄な空間が発生することがないバックライトモジュールの組み立て方法を提供することを課題とする。
【課題を解決するための手段】
【０００９】
そこで、本発明者は従来の技術に見られる欠点に鑑みて鋭意研究を重ねた結果、複数のライトと、プリント基板と、複数のコンデンサとを含んでなり、
該複数のライトが、それぞれライトがダブルエッジを具えてなり、それぞれのエッジがライトの電極を含んでなり、該電極は一端がプリント基板と電気的に接続し、他端が高周波電源の供給端に電気的に接続し、
該プリント基板が、複数のライトの電極の一側面に設けられ、それぞれの電極がプリント基板に電気的に接続し、プリント基板がコンデンサに電気的に接続し、
該複数のコンデンサが、複数のライトの電極の一側面で、プリント基板上に固定して設けられ、他端が高周波の電源の供給端に電気的に接続して複数のライトの駆動電圧を供給するバックライトモジュールの構造とその組み立て方法によって課題を解決できる点に着眼し、かかる知見に基づいて本発明を完成させた。
【００１０】
以下、この発明について具体的に説明する。
請求項１に記載の複数のライトと、プリント基板と、複数のコンデンサとを含んでなり、
該複数のライトが、それぞれライトがダブルエッジを具えてなり、それぞれのエッジがライトの電極を含んでなり、該電極は一端がプリント基板と電気的に接続し、他端が高周波電源の供給端に電気的に接続し、
該プリント基板が、複数のライトの電極の一側面に設けられ、それぞれの電極がプリント基板に電気的に接続し、プリント基板がコンデンサに電気的に接続し、
該複数のコンデンサが、複数のライトの電極の一側面で、プリント基板上に固定して設けられ、他端が高周波の電源の供給端に電気的に接続して複数のライトの駆動電圧を供給する。
【００１１】
請求項２に記載のバックライトモジュールは、請求項１におけるライトがＵ字状か、或いは線状のライトであって、それぞれのライトの電極をプリント基板上に固定して設ける。
【００１２】
請求項３に記載のバックライトモジュールは、請求項２におけるバックライトモジュールがライトフレームを含んでなり、複数のライト及びプリント基板を固定するために供する。        
【００１３】
請求項４に記載のバックライトモジュールは、請求項３におけるライトフレームが、位置決め桿か、或いは補強桿とを含んでなり、プリント基板を支持、固定してプリント基板が高温で湾曲、変形することを防ぐ。
【００１４】
請求項５に記載のバックライトモジュールは、請求項３、或いは４におけるプリント基板が直接、ライトフレームに設けるため、特別に空間を占めることがない。
【００１５】
請求項６に記載のバックライトモジュールは、請求項２におけるバックライトモジュールが、複数のライトの下方に設けられて、バックライトモジュールに固定するために供するベースを含んでなる。
【００１６】
請求項７に記載のバックライトモジュールは、請求項６におけるベースが、複数のライトに対向する表面にいずれも光線を反射する材料を塗布する。
【００１７】
請求項８に記載のバックライトモジュールは、請求項６におけるバックライトモジュールが、複数のライトとベースとの間に設けられる反射板を含んでなる。
【００１８】
請求項９に記載のバックライトモジュールは、請求項１におけるバックライトモジュールが、受信信号を検知する検知素子を含んでなる。
【００１９】
請求項１０に記載のバックライトモジュールは、請求項１におけるバックライトモジュールが、それぞれのライトの電極を被覆する複数の絶縁カバー管を含んでなる。
【００２０】
請求項１１に記載のバックライトモジュールは、請求項１におけるライトの電極が、それぞれプリント基板上にはんだ接続で電気的に接続される。
【００２１】
請求項１２に記載のバックライトモジュールは、請求項１におけるバックライトモジュールが、それぞれライトの電極の両端に設けられる二つのプリント基板を具えてなる。
【００２２】
請求項１３に記載のバックライトモジュールの組み立て方法は、ａ）複数のライトとプリント基板とを電気的に接続し、
ｂ）複数のライトの電極の一端か、或いは両端をそれぞれコンデンサに直列に接続し、
ｃ）ライトフレームと組み合わせるとともに、プリント基板をライトフレームに設けるため特別な空間を占めることがなく、
ｄ）複数のライトの下方にベースを組み合わせてバックライトモジュールに固定するために供する。
【発明の効果】
【００２３】
この発明によるバックライトモジュールと、その組み立て方法は、構造が簡単なため、容易に組み立てることができるとともに、材料、作業時間とコストを節減することができるという効果を有する。
【発明を実施するための最良の形態】
【００２４】
この発明は、コネクタと導線の使用量を低減し、プリント基板が高温で湾曲、変形することがなく、組み立てに無駄な空間が発生することがないバックライトモジュールと、その組み立て方法であって、複数のライトと、プリント基板と、複数のコンデンサとを含んでなり、
該複数のライトが、それぞれライトがダブルエッジを具えてなり、それぞれのエッジがライトの電極を含んでなり、該電極は一端がプリント基板と電気的に接続し、他端が高周波電源の供給端に電気的に接続し、
該プリント基板が、複数のライトの電極の一側面に設けられ、それぞれの電極がプリント基板に電気的に接続し、プリント基板がコンデンサに電気的に接続し、
該複数のコンデンサが、複数のライトの電極の一側面で、プリント基板上に固定して設けられ、他端が高周波の電源の供給端に電気的に接続して複数のライトの駆動電圧を供給するバックライトモジュール構造とその組み立て方法の特徴を詳述するために具体的な実施例を挙げ、図示を参照にして以下に説明する。
【実施例】
【００２５】
図４は、この発明のバックライトモジュールの高圧サイドを底面から見た状態を示した説明図である。図面によれば、バックライトモジュールは複数のライト１０１と、複数のコンデンサ１０９と、プリント基板１１１とを含んでなる。それぞれのライト１０１は、二つのエッジを含んでなる。それぞれのエッジには、ライトの電極を含んでなる。
【００２６】
該プリント基板１１１は、複数のライト１０１の電極の側面に設けられる。それぞれのライトの電極はプリント基板１１１に電気的に接続する。該複数のコンデンサ１０９は、複数のライト１０１の電極の側面に設けられるとともに、プリント基板１１１上に固定され、高周波の電源の供給端で複数のライト１０１の駆動電圧を供給する。
【００２７】
該複数のライト１０１は、冷陰極管（Ｃｏｌｄ  Ｃａｔｈｏｄｅ  Ｆｌｕｏｒｅｓｃｅｎｔ  Ｌａｍｐ、ＣＣＦＬ）か、或いは外部電極冷陰極管（Ｅｘｔｅｒｎａｌ  Ｅｌｅｃｔｒｏｄｅ  Ｆｌｕｏｒｅｓｃｅｎｔ  Ｌａｍｐ、ＥＥＦＬ）とする。該ライトの電極は絶縁カバー管を含んでなり、ライトの電極とプリント基板１１１との間の電気的な接続は、直接、はんだ接続するか、固定した後、導線で接続してもよい。
【００２８】
図５は、この発明のライトフレームを示した説明図である。シリカゲル座１１０でライト１０１を固定するとともに（図示しない）、ライトフレーム１０８に位置決め桿１１２及び補強桿１１３を増設してプリント基板１１１（図示しない）を固定して支持するために供し、プリント基板１１１（図示しない）が高温で湾曲、変形することを防いで組み立てる場合の作業時間を節減する。
【００２９】
この発明のバックライトモジュールは、プリント基板１１１（図示しない）を直接、ライトフレーム１０８に挿設するため、特別に空間を占めることがない。
【００３０】
図６は、この発明のバックライトモジュールの低圧サイドを底面からみた状態を示した説明図である。図面によれば、低圧サイドは、単一のエッジで高周波、高電圧で駆動するライトを採用している。複数のライト１０１は、一端が図５に開示するように接続し、他端がプリント基板１１４と電気的に接続してからライトフレーム１０８に設けられる。この発明ではダブルエッジの高周波高電圧で駆動するライトを採用してもよい。
【００３１】
この発明のバックライトモジュールは、ベースを含んでなり、該ベースは複数のライト１０１の下方、バックライトモジュールに固定して設けられる。光線の利用率を高めるために、ベースに対向する複数のライト１０１の表面には光線を反射する材料が塗布される。該複数のライト１０１は下方とベースとの間に光線の利用率を高めるための反射片が増設される。
【００３２】
この発明のバックライトモジュールの組み立て方法は、先ず、複数のライト１０１と、プリント基板とを電気的に接続する。複数のライト１０１の電極の一端か、或いは両端にはそれぞれコンデンサ１０９が直列に接続される。
【００３３】
ライトフレーム１０８と組み合わせるとともに、プリント基板をライトフレーム１０８に設けるため、特別に空間を占めることがない。また、複数のライト１０１は下方にベースを組み合わせて、バックライトモジュールに固定するために供する。
【００３４】
ベースは複数のライト１０１に対向する表面に光線を反射する材料を塗布して光線の利用率を高めるか、或いは複数のライト１０１の下方とベースとの間に反射片を増設して光線の利用率を高める。
【００３５】
上述のように、この発明のバックライトモジュールは、複数のライトと、一つ、或いは複数のプリント基板と、複数のコンデンサとを含んでなり、それぞれのライトは、二つのエッジを含んでなり、それぞれのエッジにはライトの電極を含んでなる。
【００３６】
該プリント基板は、複数のライトの電極の一端か、或いは両側に設けられ、それぞれのライトの電極がプリント基板に電気的に接続する。
【００３７】
該複数のコンデンサは、複数のライトの電極の一端か、或いは両側に設けられるとともに、プリント基板上に固定して設けられ、高周波の電源の供給端が複数のライトの駆動電圧を供給する。また、さらに検知素子を含んでなり、受信した信号をコントローラーに送信する。
【００３８】
この発明のバックライトモジュールの組み立て方法は、先ず、複数のライトとプリント基板を電気的に接続する。複数のライトの電極の一端、或いは両側にそれぞれコンデンサと直列に接続する。ライトフレームと組み合わせるとともに、プリント基板をライトフレームに設けるため、特別に空間を占めることがない。複数のライトは下方にベースを設けて、バックライトモジュールに固定するために供する。
【００３９】
ベースは複数のライトに対向する表面に光線を反射する材料を塗布して、光線の利用率を高めるか、或いは複数のライトの下方とベースとの間に反射片を増設して光線の利用率を高めるために供する。
【００４０】
この発明のバックライトモジュールと、その組み立て方法は、構造が簡単なため、容易に組み立てることができるとともに、材料、作業時間とコストを節減することができる。
【００４１】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許登録請求の範囲に属するものとする。
【図面の簡単な説明】
【００４２】
【図１】従来のバックライトモジュールを示した斜視図である。
【図２】従来のバックライトモジュールを示した局部拡大図である。
【図３】従来のバックライトモジュールを側面フレームを使用してライトを固定した状態を底面から見た状態を示した説明図である。
【図４】この発明のバックライトモジュールの高圧サイドを底面から見た状態を示した説明図である。
【図５】この発明のバックライトモジュールのライトフレームの構造を示した説明図である。
【図６】この発明のバックライトモジュールの低圧サイドを底面から見た状態を示した説明図である。
【符号の説明】
【００４３】
１０１     ライト
１０２     導線
１０３     コネクタ
１０４     プリント基板
１０５     高圧サイド
１０６     低圧サイド
１０７     サイドフレーム
１０８     ライトフレーム
１０９     コンデンサ
１１０     シリカゲル座
１１１     プリント基板
１１２     位置決め桿
１１３     補強桿
１１４     プリント基板
【図１】
2009037996.tif 000003
【図２】
2009037996.tif 000004
【図３】
2009037996.tif 000005
【図４】
2009037996.tif 000006
【図５】
2009037996.tif 000007
【図６】
2009037996.tif 000008
【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
複数のライトと、プリント基板と、複数のコンデンサと、高周波の電源の供給端とを含んでなり、
該複数のライトが、それぞれライトがダブルエッジを具えてなり、それぞれのエッジがライトの電極を含んでなり、
該プリント基板が、複数のライトの電極の一側面に設けられ、ライトの電極と電気的に接続し、
該複数のコンデンサが、複数のライトの電極の一側面に設けられ、一端がプリント基板と電気的に接続し、
高周波の電源の供給端が、複数のコンデンサと電気的に接続し、電子式スタビライザであって、複数のライトに供給する駆動電圧を発生するために供し、
少なくとも一以上のライトフレームが、該複数のライト、或いは該プリント基板に固定するために供し、該プリント基板が該ライトフレームに直接設けられ、特別にバックライトモジュールの空間を占めることがない構造からなることを特徴とするバックライトモジュール。
【請求項２】
前記ライトがＵ字状か、或いは線状のライトであって、それぞれのライトの電極をプリント基板上に固定して設けることを特徴とする請求項１に記載のバックライトモジュール。
【請求項３】
前記ライトフレームが、位置決め桿か、或いは補強桿とを含んでなり、プリント基板を支持、固定してプリント基板が高温で湾曲、変形することを防ぐことを特徴とする請求項１に記載のバックライトモジュール。
【請求項４】
前記バックライトモジュールが、複数のライトの下方に設けられて、バックライトモジュールに固定するために供するベースを含んでなることを特徴とする請求項１に記載のバックライトモジュール。
【請求項５】
前記ベースが、複数のライトに対向する表面にいずれも光線を反射する材料を塗布することを特徴とする請求項４に記載のバックライトモジュール。
【請求項６】
前記バックライトモジュールが、複数のライトとベースとの間に設けられる反射板を含んでなることを特徴とする請求項４に記載のバックライトモジュール。
【請求項７】
前記バックライトモジュールが、受信信号を検知する検知素子を含んでなることを特徴とする請求項１に記載のバックライトモジュール。
【請求項８】
前記バックライトモジュールが、それぞれのライトの電極を被覆する複数の絶縁カバー管を含んでなることを特徴とする請求項１に記載のバックライトモジュール。
【請求項９】
前記ライトの電極が、それぞれプリント基板上にはんだ接続で電気的に接続することを特徴とする請求項１に記載のバックライトモジュール。
【請求項１０】
前記バックライトモジュールが、それぞれライトの電極の両端に設けられる二つのプリント基板を具えてなることを特徴とする請求項１に記載のバックライトモジュール。
【請求項１１】
ａ）複数のライトとプリント基板とを電気的に接続し、
ｂ）複数のライトの電極の一端か、或いは両端をそれぞれコンデンサに直列に接続し、
ｃ）ライトフレームと組み合わせるとともに、プリント基板をライトフレームに設けるため特別な空間を占めることがなく、
ｄ）複数のライトの下方にベースを組み合わせてバックライトモジュールに固定するために供することを特徴とするバックライトモジュールの組み立て方法。
【手続補正２】
【補正対象書類名】明細書
【補正対象項目名】全文
【補正方法】変更
【補正の内容】
【発明の詳細な説明】
【技術分野】
【０００１】
この発明は、バックライトモジュールに関し、特に液晶モニタのバックライトモジュールとその組み立て方法に関する。
【背景技術】
【０００２】
液晶モニタは軽量、薄型、消費電力が少ないなど優れた点を具えているため、テレビ、ノートブック型パソコン、携帯電話、携帯情報端末など現代社会で使用されている情報設備に幅広く応用されている。
【０００３】
液晶モニタの本体は、発光する性質を具えていないため、バックライトモジュールを設けて、画面を見えるようにする機能を提供する必要がある。
【０００４】
図１は、従来のバックライトモジュールを示した斜視図である。図２は、図１に開示したＡの部分を拡大した局部拡大図である。図３は、従来のバックライトモジュールに使用する側面フレームでライトを固定した状態を底面から示した説明図である。
【０００５】
該バックライトモジュールは、複数のライト１０１と、複数の導線１０２と、複数のコネクタ（Ｃｏｎｎｅｃｔｏｒ）１０３と、プリント基板（Ｐｒｉｎｔｅｄ  Ｃｉｒｃｕｉｔ  Ｂｏａｒｄ、ＰＣＢ）１０４と、サイドフレーム（Ｓｉｄｅ  Ｆｒａｍｅ）１０７と、シリカゲル座１１０とを含んでなる。
【０００６】
ライトの高圧サイド１０５と、プリント基板１０４との間のコネクタ１０３と導線１０２の使用量は大量であるため、コストが高くなるとともに、使用する部材の件数が多くなるため、組み立てが複雑になり、作業時間が増加する。
【発明の開示】
【発明が解決しようとする課題】
【０００７】
この発明は、コネクタと導線の使用量を低減するバックライトモジュールを提供することを課題とする。
【０００８】
また、この発明は、プリント基板が高温で湾曲、変形することがなく、組み立てに無駄な空間が発生することがないバックライトモジュールの組み立て方法を提供することを課題とする。
【課題を解決するための手段】
【０００９】
そこで、本発明者は従来の技術に見られる欠点に鑑みて鋭意研究を重ねた結果、複数のライトと、プリント基板と、複数のコンデンサと、高周波の電源の供給端とを含んでなり、
該複数のライトが、それぞれライトがダブルエッジを具えてなり、それぞれのエッジがライトの電極を含んでなり、
該プリント基板が、複数のライトの電極の一側面に設けられ、ライトの電極と電気的に接続し、
該複数のコンデンサが、複数のライトの電極の一側面に設けられ、一端がプリント基板と電気的に接続し、
高周波の電源の供給端が、複数のコンデンサと電気的に接続し、電子式スタビライザであって、複数のライトに供給する駆動電圧を発生するために供し、
少なくとも一以上のライトフレームが、該複数のライト、或いは該プリント基板に固定するために供し、該プリント基板が該ライトフレームに直接設けられ、特別にバックライトモジュールの空間を占めることがない構造からなるバックライトモジュールの構造とその組み立て方法によって課題を解決できる点に着眼し、かかる知見に基づいて本発明を完成させた。
【００１０】
以下、この発明について具体的に説明する。
請求項１に記載のバックライトモジュールは、複数のライトと、プリント基板と、複数のコンデンサと、高周波の電源の供給端とを含んでなり、
該複数のライトが、それぞれライトがダブルエッジを具えてなり、それぞれのエッジがライトの電極を含んでなり、
該プリント基板が、複数のライトの電極の一側面に設けられ、ライトの電極と電気的に接続し、
該複数のコンデンサが、複数のライトの電極の一側面に設けられ、一端がプリント基板と電気的に接続し、
高周波の電源の供給端が、複数のコンデンサと電気的に接続し、電子式スタビライザであって、複数のライトに供給する駆動電圧を発生するために供し、
少なくとも一以上のライトフレームが、該複数のライト、或いは該プリント基板に固定するために供し、該プリント基板が該ライトフレームに直接設けられ、特別にバックライトモジュールの空間を占めることがない構造からなる。
【００１１】
請求項２に記載するバックライトモジュールは、請求項１におけるライトがＵ字状か、或いは線状のライトであって、それぞれのライトの電極をプリント基板上に固定して設ける。      
【００１２】
請求項３に記載するバックライトモジュールは、請求項１におけるライトフレームが、位置決め桿か、或いは補強桿とを含んでなり、プリント基板を支持、固定してプリント基板が高温で湾曲、変形することを防ぐ。
【００１３】
請求項４に記載するバックライトモジュールは、請求項１におけるバックライトモジュールが、複数のライトの下方に設けられて、バックライトモジュールに固定するために供するベースを含んでなる。
【００１４】
請求項５に記載するバックライトモジュールは、請求項４におけるベースが、複数のライトに対向する表面にいずれも光線を反射する材料を塗布する。
【００１５】
請求項６に記載するバックライトモジュールは、請求項４におけるバックライトモジュールが、複数のライトとベースとの間に設けられる反射板を含んでなる。
【００１６】
請求項７に記載するバックライトモジュールは、請求項１におけるバックライトモジュールが、受信信号を検知する検知素子を含んでなる。
【００１７】
請求項８に記載するバックライトモジュールは、請求項１におけるバックライトモジュールが、それぞれのライトの電極を被覆する複数の絶縁カバー管を含んでなる。
【００１８】
請求項９に記載するバックライトモジュールは、請求項１におけるライトの電極が、それぞれプリント基板上にはんだ接続で電気的に接続する。
【００１９】
請求項１０に記載するバックライトモジュールは、請求項１におけるバックライトモジュールが、それぞれライトの電極の両端に設けられる二つのプリント基板を具えてなる。
【００２０】
請求項１１に記載するバックライトモジュールの組み立て方法は、  ａ）複数のライトとプリント基板とを電気的に接続し、
ｂ）複数のライトの電極の一端か、或いは両端をそれぞれコンデンサに直列に接続し、
ｃ）ライトフレームと組み合わせるとともに、プリント基板をライトフレームに設けるため特別な空間を占めることがなく、
ｄ）複数のライトの下方にベースを組み合わせてバックライトモジュールに固定するために供する。
【発明の効果】
【００２１】
この発明によるバックライトモジュールと、その組み立て方法は、構造が簡単なため、容易に組み立てることができるとともに、材料、作業時間とコストを節減することができるという効果を有する。
【発明を実施するための最良の形態】
【００２２】
この発明は、コネクタと導線の使用量を低減し、プリント基板が高温で湾曲、変形することがなく、組み立てに無駄な空間が発生することがないバックライトモジュールと、その組み立て方法であって、複数のライトと、プリント基板と、複数のコンデンサと、高周波の電源の供給端とを含んでなり、
該複数のライトが、それぞれライトがダブルエッジを具えてなり、それぞれのエッジがライトの電極を含んでなり、
該プリント基板が、複数のライトの電極の一側面に設けられ、ライトの電極と電気的に接続し、
該複数のコンデンサが、複数のライトの電極の一側面に設けられ、一端がプリント基板と電気的に接続し、
高周波の電源の供給端が、複数のコンデンサと電気的に接続し、電子式スタビライザであって、複数のライトに供給する駆動電圧を発生するために供し、
少なくとも一以上のライトフレームが、該複数のライト、或いは該プリント基板に固定するために供し、該プリント基板が該ライトフレームに直接設けられ、特別にバックライトモジュールの空間を占めることがないバックライトモジュール構造とその組み立て方法の特徴を詳述するために具体的な実施例を挙げ、図示を参照にして以下に説明する。
【実施例】
【００２３】
図４は、この発明のバックライトモジュールの高圧サイドを底面から見た状態を示した説明図である。図面によれば、バックライトモジュールは複数のライト１０１と、複数のコンデンサ１０９と、ライトフレーム１０８と、プリント基板１１１とを含んでなる。それぞれのライト１０１は、二つのエッジを含んでなる。それぞれのエッジには、ライトの電極を含んでなる。
【００２４】
該プリント基板１１１は、複数のライト１０１の電極の側面に設けられるとともに、ライトフレーム１０８の内部に設けられる。それぞれのライトの電極はプリント基板１１１に電気的に接続する。複数のコンデンサ１０９は、複数のライト１０１の電極の側面に設けられるとともに、プリント基板１１１上に固定され、高周波の電源の供給端と該複数のコンデンサ１０９と電気的に接続する。該高周波の電源の供給端は電子式スタビライザであって、複数のライト１０１に駆動電圧を供給する。
【００２５】
該複数のライト１０１は、冷陰極管（Ｃｏｌｄ  Ｃａｔｈｏｄｅ  Ｆｌｕｏｒｅｓｃｅｎｔ  Ｌａｍｐ、ＣＣＦＬ）か、或いは外部電極冷陰極管（Ｅｘｔｅｒｎａｌ  Ｅｌｅｃｔｒｏｄｅ  Ｆｌｕｏｒｅｓｃｅｎｔ  Ｌａｍｐ、ＥＥＦＬ）とする。ライトの電極は絶縁カバー管を含んでなり、ライトの電極とプリント基板１１１との間の電気的な接続は、直接、はんだ接続するか、固定した後、導線で接続してもよい。
【００２６】
図５は、この発明のライトフレームを示した説明図である。シリカゲル座１１０でライト１０１を固定するとともに（図示しない）、ライトフレーム１０８に位置決め桿１１２及び補強桿１１３を増設してプリント基板１１１（図示しない）を固定して支持するために供し、プリント基板１１１（図示しない）が高温で湾曲、変形することを防いで組み立てる場合の作業時間を節減する。
【００２７】
この発明のバックライトモジュールは、プリント基板１１１（図示しない）を直接、ライトフレーム１０８に設けるため、特にバックライトモジュールの空間を占めることがない。
【００２８】
図６は、この発明のバックライトモジュールの低圧サイドを底面からみた状態を示した説明図である。図面によれば、低圧サイドは、単一のエッジで高周波、高電圧で駆動するライトを採用している。複数のライト１０１は、一端が図５に開示するように接続し、他端がプリント基板１１４と電気的に接続してからライトフレーム１０８に設けられる。この発明ではダブルエッジの高周波高電圧で駆動するライトを採用してもよい。
【００２９】
この発明のバックライトモジュールは、ベースを含んでなり、該ベースは複数のライト１０１の下方、バックライトモジュールに固定して設けられる。光線の利用率を高めるために、ベースに対向する複数のライト１０１の表面には光線を反射する材料が塗布される。該複数のライト１０１は下方とベースとの間に光線の利用率を高めるための反射片が増設される。
【００３０】
この発明のバックライトモジュールの組み立て方法は、先ず、複数のライト１０１と、プリント基板とを電気的に接続する。複数のライト１０１の電極の一端か、或いは両端にはそれぞれコンデンサ１０９が直列に接続される。
【００３１】
ライトフレーム１０８と組み合わせるとともに、プリント基板をライトフレーム１０８に設けるため、特別にバックライトモジュールの空間を占めることがない。また、複数のライト１０１は下方にベースを組み合わせて、バックライトモジュールに固定するために供する。
【００３２】
ベースは複数のライト１０１に対向する表面に光線を反射する材料を塗布して光線の利用率を高めるか、或いは複数のライト１０１の下方とベースとの間に反射片を増設して光線の利用率を高める。
【００３３】
上述のように、この発明のバックライトモジュールは、複数のライトと、一つ、或いは複数のプリント基板と、複数のコンデンサとを含んでなり、それぞれのライトは、二つのエッジを含んでなり、それぞれのエッジにはライトの電極を含んでなる。
【００３４】
該プリント基板は、複数のライトの電極の一端か、或いは両側に設けられ、それぞれのライトの電極がプリント基板に電気的に接続する。
【００３５】
該複数のコンデンサは、複数のライトの電極の一端か、或いは両側に設けられるとともに、一端がプリント基板上と電気的に接続し、高周波の電源の供給端に組み合わせられ、複数のコンデンサと電気的に接続する。該高周波の電源の供給端は、電子式スタビライザを使用し、複数のライトに供給する駆動電圧を発生するために供する。また、さらに検知素子を含んでなり、受信した信号をコントローラーに送信する。
【００３６】
この発明のバックライトモジュールの組み立て方法は、先ず、複数のライトとプリント基板を電気的に接続する。複数のライトの電極の一端、或いは両側にそれぞれコンデンサと直列に接続する。ライトフレームと組み合わせるとともに、プリント基板をライトフレームに設けるため、特別にバックライトモジュールの空間を占めることがない。複数のライト１０１は下方にベースを設けて、バックライトモジュールに固定するために供する。
【００３７】
ベースは複数のライトに対向する表面に光線を反射する材料を塗布して、光線の利用率を高めるか、或いは複数のライトの下方とベースとの間に反射片を増設して光線の利用率を高めるために供する。
【００３８】
この発明のバックライトモジュールと、その組み立て方法は、構造が簡単なため、容易に組み立てることができるとともに、材料、作業時間とコストを節減することができる。
【００３９】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許登録請求の範囲に属するものとする。
【図面の簡単な説明】
【００４０】
【図１】従来のバックライトモジュールを示した斜視図である。
【図２】図１に開示するバックライトモジュールを示した局部拡大図である。
【図３】従来のバックライトモジュールを側面フレームを使用してライトを固定した状態を底面から見た状態を示した説明図である。
【図４】この発明のバックライトモジュールの高圧サイドを底面から見た状態を示した説明図である。
【図５】この発明のバックライトモジュールのライトフレームの構造を示した説明図である。
【図６】この発明のバックライトモジュールの低圧サイドを底面から見た状態を示した説明図である。
【符号の説明】
【００４１】
１０１     ライト
１０２     導線
１０３     コネクタ
１０４     プリント基板
１０５     高圧サイド
１０６     低圧サイド
１０７     サイドフレーム
１０８     ライトフレーム
１０９     コンデンサ
１１０     シリカゲル座
１１１     プリント基板
１１２     位置決め桿
１１３     補強桿
１１４     プリント基板
【手続補正３】
【補正対象書類名】図面
【補正対象項目名】全図
【補正方法】変更
【補正の内容】
【図１】
2009037996.tif 000009
【図２】
2009037996.tif 000010
【図３】
2009037996.tif 000011
【図４】
2009037996.tif 000012
【図５】
2009037996.tif 000013
【図６】
2009037996.tif 000014